【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
装着型デバイスに関連付けられたユーザの健康状態及び目標位置を取得する方法であって、前記方法は、
前記装着型デバイスを使用して、前記ユーザの健康状態をモニタリングするステップと、
前記健康状態の指標をネットワークを介してサーバに送信するステップと、
前記指標を使用して、前記ユーザに所定の健康状態が存在するか否かを決定するステップと、
それぞれが固有の識別子を送信する複数の照明ユニット、及び前記複数の照明ユニットの地理的位置を表す情報を保持するデータベースから形成されるネットワークを提供するステップと、
前記複数の照明ユニットのうちの少なくとも１つの照明ユニットの照明ユニット識別子を受信する照明ユニット識別子センサを前記装着型デバイスに提供するステップと、
前記装着型デバイスが、前記受信された照明ユニット識別子を前記指標とともにメッセージにより前記ネットワークを介して前記サーバに送信するステップと、
前記データベースが、前記受信された照明ユニット識別子に基づいて前記１つ以上の照明ユニットの地理的情報を提供するステップであって、前記１つ以上の地理的情報は前記装着型デバイスの前記目標位置に対応する、ステップと、
前記所定の健康状態が存在する場合、１つ以上の所定の対応を決定するステップと
を含む、方法。
【請求項２】
前記固有の識別子は電磁スペクトルを用いて送信される、請求項１に記載の方法。
【請求項３】
前記センサは、前記装着型デバイスと統合されているか、検出性能を向上させるために前記装着型デバイス上又は前記装着型デバイスのまわりにフレキシブルに配置されるかのうちから選択される、請求項１に記載の方法。
【請求項４】
前記センサは前記１つ以上の装着型デバイスに無線接続されている、請求項３に記載の方法。
【請求項５】
前記装着型デバイスは、警報又は警告が生成された時、周期的に、所定の時間に、及び所定の条件が満たされた時のうちの１つで送信を行う、請求項１に記載の方法。
【請求項６】
前記送信は、前記１つ以上の照明ユニット識別子に関連付けられた、特定の照明ユニット識別子が受信された時間を示すためのタイムスタンプをさらに含む、請求項５に記載の方法。
【請求項７】
前記装着型デバイスは、前記照明ユニット識別子、及び、個別の照明ユニット識別子のそれぞれの繰り返しがいつ受信されたかを示す前記関連付けられたタイムスタンプを記憶するメモリを含む、請求項６に記載の方法。
【請求項８】
前記送信される１つ以上の照明ユニット識別子は、複数の目標位置を取得するために、異なるタイムスタンプを有する多数の照明ユニット識別子を含み、前記方法は、前記装着型デバイスの経時的な軌跡を形成するステップをさらに含む、請求項６に記載の方法。
【請求項９】
前記装着型デバイスの前記ユーザの健康状態を評価するために前記軌跡を使用するステップをさらに含む、請求項８に記載の方法。
【請求項１０】
前記メッセージ内に単一の照明ユニット識別子が与えられている場合、当該照明ユニットの位置が前記目標位置であり、
前記メッセージ内に複数の照明ユニット識別子が、時間が近いタイムスタンプとともに与えられている場合、当該複数の照明ユニットの位置は前記目標位置を求めるために使用される、請求項１に記載の方法。
【請求項１１】
前記データベースに前記照明ユニットの前記１つ以上の地理的位置の提供を要求するステップと、
前記装着型デバイスを装着しているユーザが前記目標位置において助けを必要としていることを少なくとも１人の緊急対応者に警告するステップと
をさらに含む、請求項１に記載の方法。
【請求項１２】
前記目標位置は、建物セクション、階数、及び部屋番号；郵便番号、通りの名前、及び番地；目標位置が特定された建物マップ又は都市地図；緯度、経度、及び高度；所定の位置に対する相対位置；並びに前記問い合わせ応答において伝達された他の位置に対する相対位置、のうちの少なくとも１つに関連付けられる、請求項１に記載の方法。
【請求項１３】
ユーザの健康状態及び地理的位置を取得するためのシステムであって、
それぞれが固有の識別子を送信する複数の照明ユニット、及び前記複数の照明ユニットの地理的位置を表す情報を保持するデータベースから形成されるネットワークと、
ユーザの前記健康状態の指標、及び前記ユーザの位置をモニタリングシステムに送信するために前記ネットワークに接続されるサーバと、
前記ユーザが装着する装着型デバイスであって、前記装着型デバイスは、前記ユーザの健康状態を検出して前記ユーザの状態の前記指標を前記サーバに送信し、また、前記装着型デバイスは前記複数の照明ユニットのうちの少なくとも１つの照明ユニットの照明ユニット識別子を受信する照明ユニット識別子センサを有し、前記サーバは、前記装着型デバイスから前記照明ユニット識別子及び前記指標を受信して、前記指標を使用して所定の健康状態が存在するか否かを決定し、前記データベースから、前記装着型デバイスの目標位置に対応する前記１つ以上の照明ユニットの地理的位置を決定し、前記所定の健康状態に応じて１つ以上の所定の対応を決定する、装着型デバイスと
を含む、システム。
【請求項１４】
前記目標位置は、建物、病院、通り、及び都市における選択可能な位置から選択される、請求項１３に記載のシステム。
【請求項１５】
前記複数の照明ユニットは、電磁スペクトルを用いて前記固有の識別子を送信する、請求項１３に記載のシステム。
【請求項１６】
前記照明ユニット識別子センサは、前記装着型デバイスと統合されている、及び検出性能及び／又は利便性を向上させるために前記装着型デバイス上又は前記装着型デバイスのまわりにフレキシブルに配置されている、から選択され、また、前記装着型デバイスに無線又はハードワイヤー接続によって接続されている、請求項１３に記載のシステム。
【請求項１７】
前記装着型デバイスの前記送信は、
１つ以上の照明ユニット識別子と関連付けられた、特定の照明ユニット識別子が受信された時間を示す１つ以上のタイムスタンプを含み、
警報又は警告が生成された時、周期的に、所定の時間に、及び所定の条件が満たされた時のうちの１つで前記サーバに送信される、請求項１３に記載のシステム。
【請求項１８】
前記送信される１つ以上の照明ユニット識別子は、前記装着型デバイスの経時的な軌跡を示す異なるタイムスタンプを含み、前記軌跡は、前記装着型デバイスを装着している前記ユーザの健康状態を示す、請求項１７に記載のシステム。
【請求項１９】
前記目標位置は、建物セクション、階数、及び部屋番号；郵便番号、通りの名前、及び番地；目標位置が特定された建物マップ又は都市地図；緯度、経度、及び高度；所定の位置に対する相対位置；並びに前記問い合わせ応答において伝達された他の位置に対する相対位置、のうちの少なくとも１つに関連付けられる、請求項１３に記載のシステム。
【請求項２０】
ユーザの地理的位置及びユーザの健康状態に関する情報を取得するためのデバイスであって、
複数の照明ユニットのうちの少なくとも１つの照明ユニットから照明ユニット識別子を受信する照明ユニット識別子センサと、
ユーザの健康状態を検出するユーザモニタと、
前記受信された照明ユニット識別子、及び前記ユーザの前記健康状態の指標をユーザモニタリングサーバに送信する送受信機と
を含む、デバイス。